(57)【要約】【課題】カメラユニットのパン回転が可能な小型の撮像装置において、ハーネスの回動による負荷を増大させることなく薄型化を実現する。【解決手段】パン方向に回転するカメラユニットと、電子部品が実装されたプリント基板と、前記カメラユニットと前記プリント基板とを接続するハーネスと、前記プリント基板と略平行に設けられたカバー部材と、を有し、前記ハーネスは、前記カメラユニットのパン回転に伴って、前記カバー部材に近接して回動するように配設されている撮像装置であって、前記カバー部材は前記プリント基板と対向する位置かつ被写体側に設けられ、前記電子部品のうちの少なくとも一つは前記カバー部材に設けられた開口部から露出するように配置されるとともに、該電子部品の上面と前記カバー部材の被写体側の面とが略同一面となるように配置されることを特徴とする撮像装置。【選択図】図２
2013162250.tif 000002
【特許請求の範囲】
【請求項１】
パン方向に回転するカメラユニットと、電子部品が実装されたプリント基板と、前記カメラユニットと前記プリント基板とを接続するハーネスと、前記プリント基板と平行に設けられたカバー部材と、を有し、前記ハーネスは、前記カメラユニットのパン回転に伴って、前記カバー部材に近接して回動するように配設されている撮像装置であって、
前記カバー部材は前記プリント基板と対向する位置かつ該プリント基板の被写体側に設けられ、前記電子部品のうちの少なくとも一つは前記カバー部材に設けられた開口部から露出するように配置されるとともに、該電子部品の上面と前記カバー部材の被写体側の面とが同一面となるように配置されることを特徴とする撮像装置。
【請求項２】
前記カバー部材に設けられた前記開口部の外周に沿って、円弧状の突状部を有することを特徴とする請求項１に記載の撮像装置。
【発明の詳細な説明】
【技術分野】
【０００１】
本発明はカメラユニットのパン回転機能を備えた撮像装置に関するものである。
【背景技術】
【０００２】
従来より、監視カメラなどの撮像装置において、撮像範囲を切り替えるためのパン回転機能を有したものが知られている。
【０００３】
以下、図５により、カメラユニットのパン回転機能を備えた撮像装置の従来の構成について説明する。
【０００４】
図５に示す撮像装置０は、上ケース１２ａ、下ケース１２ｂによって構成される外装１２の内部に、被写体を撮像して映像信号を出力するカメラユニット１１と、下ケース１２ｂに取り付けられるプリント基板１３と、前記カメラユニット１１と、プリント基板１３とに接続されるハーネス１４と、前記下ケース１２ｂに取り付けられ、前記プリント基板１３と対向する位置かつ被写体側に配置されたカバー部材１６と、を有している。
【０００５】
前記カメラユニット１１は、前記カバー部材１６に対して回転自在に取り付けられており、図中Ｐ軸を中心にパン回転が可能である。
【０００６】
前記ハーネス１４は、カメラユニット１１のパン回転に伴って回動する。図５において、ハーネス１４はカメラユニットのパン回転に伴って、外装１２と、カバー部材１６と、カメラユニット１１とに囲まれた空間１８の中を回動する。
【０００７】
前記カバー部材１６は、回動するハーネス１４がプリント基板に引っかかたり、こすれて傷ついたりすることを防止する目的で備えられる。しかしながら、カバー部材１６を設けると、ハーネスが回動する空間１８が狭くなり、カメラユニット１１のパン回転にともなってハーネス１４が空間１８内部を回動する時に、摩擦が大きくなり、負荷が増大してしまう。
【０００８】
ハーネスによるパン回転の負荷が増大すると、パン回転により所望の撮像方向までカメラユニットの向きを切り替えることができなくなる恐れがある。また、負荷が大きくてもパン回転できるよう、駆動トルクを大きく設定しようとすると、モーターやギヤが大きくなって小型化の障害となる。
【０００９】
プリント基板に実装された電子部品と、電子部品に対向するケースの関係によって薄型化を図った例として、特許文献１が知られている。特許文献１はプリント基板に設けた発熱部品と対向する位置において、発熱部品が挿入される開口部を前記本体ケースに形成し、該開口部に前記発熱部品を臨ませ、さらに本体ケースの開口部を銘版によって覆うことを特徴とするものであり、これによって機器全体の薄型化を図ったものである。
【先行技術文献】
【特許文献】
【００１０】
【特許文献１】特開平７−１４２８７２号公報
【発明の概要】
【発明が解決しようとする課題】
【００１１】
特許文献１では薄型化には寄与するものの、カメラユニットがパン回転するような撮像装置において、ハーネスが通過するような構造に配慮されたものではないため、以下のような問題点があった。すなわち、開口部にプリント基板上の電子部品を臨ませるだけでは、その直上を通過するハーネスが引っ掛かることがあり、パン駆動系への負荷を増大させる恐れがある。
【００１２】
上述の課題を鑑みて、本発明の目的とするところは、カメラユニットのパン回転が可能な小型の撮像装置において、ハーネスの回動による負荷を増大させることなく薄型化を実現することである。
【課題を解決するための手段】
【００１３】
上記の目的を達成するため、本出願に係る撮像装置は、パン方向に回転するカメラユニットと、電子部品が実装されたプリント基板と、前記カメラユニットと前記プリント基板とを接続するハーネスと、前記プリント基板と略平行に設けられたカバー部材と、を有し、前記ハーネスは、前記カメラユニットのパン回転に伴って、前記カバー部材に近接して回動するように配設されている撮像装置であって、前記カバー部材は前記プリント基板と対向する位置かつ被写体側に設けられ、前記電子部品のうちの少なくとも一つは前記カバー部材に設けられた開口部から露出するように配置されるとともに、該電子部品の上面と前記カバー部材の被写体側の面とが略同一面となるように配置されることを特徴としている。
【発明の効果】
【００１４】
以上説明したように、本発明によれば、カメラユニットのパン駆動可能な撮像装置において、カメラユニットとプリント基板を連結しているハーネスの回動による負荷を軽減するとともに撮像装置全体の薄型化を実現することができる。
【図面の簡単な説明】
【００１５】
【図１】本発明の実施形態における撮像装置の外観斜視図
【図２】本発明の実施形態における撮像装置の内部構造
【図３】本発明の実施形態におけるカバー部材開口部周辺の断面図
【図４】本発明の実施形態におけるカバー部材開口部の凸形状
【図５】従来のパン回転機能を備えた撮像装置の内部構造
【発明を実施するための形態】
【００１６】
以下、添付図面を参照して、本発明を実施するための形態について説明する。
【００１７】
＜第１の実施形態＞
図１は本発明第１の実施形態に係る撮像装置１００の外観斜視図であり、図２は内部構造を示した斜視図および断面図である
撮像装置１００は上ケース１０２ａ、下ケース１０２ｂによって構成される外装１０２の内部に、カメラユニット１０１と、下ケース１０２ｂに設けられたプリント基板１０３と、前記カメラユニット１０１と前記プリント基板１０３とに接続されるハーネス１０４と、プリント基板１０３に実装される電子部品１０５と、下ケース１０２ｂに設けられ、前記プリント基板と対向する位置かつ被写体側に配置されたカバー部材１０６とを有する。
【００１８】
カメラユニット１０１は被写体を撮像して映像信号を出力するものであり、出力される映像信号は、ハーネス１０４を通じてプリント基板１０３へと伝送される。また、カメラユニット１０１はパンテーブル１０９、パンテーブル１０９に設けられたレンズカバー１１０、及びチルトベース１１２、チルトベース１１２に対して回転自在に取り付けられる鏡筒ユニット１１０によって構成される。これにより、鏡筒ユニット１１０は回転軸Ｔを中心にチルト回転することができる。
【００１９】
パンテーブル１０９はカバー部材１０６に対して回転自在に取り付けられている。これにより、カメラユニット１０１は回転軸Ｐを中心にパン回転することができる。
【００２０】
前記プリント基板１０３の被写体側の面には電子部品１０５が実装されている。
【００２１】
カバー部材１０６は、ハーネス１０４が回動する際に該ハーネス１０４がプリント基板１０３やプリント基板１０３上に実装されている電子部品に引っかかたり、接触して傷ついたりすることを防止する目的で備えられる。加えて、本実施例においてはパンテーブル１０９が回転自在に取り付けられる構造体としての機能も備えている。なお、パンテーブル１０９は下ケース１０２ｂに回転自在に取り付けられる構造としても良い。
【００２２】
また、カバー部材１０６は、開口部１０６ａを有している。開口部１０６ａは電子部品１０５が挿入される位置に設けられ、電子部品１０５は開口部１０６ａから露出するよう配置されている。さらに、図３に示すように、前記電子部品１０５の上面と前記カバー部材１０６の被写体側の面とが略同一面となるように構成されている。
【００２３】
上述のように、本実施例においては、カバー部材１０６に開口部１０６ａを設けて電子部品１０５を該開口部１０６ａから露出するように構成したため、電子部品１０５の上部をカバーで覆う必要がなく、回動するハーネス１０４が通過するスペースを広くとることができる。
【００２４】
また、電子部品１０５の上面と前記カバー部材１０６の被写体側の面とが略同一面となるように構成されており、電子部品の上面がカバー部材１０６に対して凹んだり、突出することがなくなるので、回動するハーネス１０４の障害とならず、パン駆動の負荷を増大させることがない。
【００２５】
また、カバー部材１０６の開口部１０６ａには、回動するハーネス１０４に対する開口部端面の影響を軽減するために、図４に示すような略円弧状の突状部１１３を設けても良い。
【００２６】
以上、本発明をその好適な実施形態に基づいて詳述してきたが、本発明はこれら特定の実施形態に限られるものではなく、この発明の要旨を逸脱しない範囲の様々な形態も本発明に含まれる。また、上述した実施形態の一部を適宜組み合わせても良い。
【符号の説明】
【００２７】
１００‥‥撮像装置
１０１‥‥カメラユニット
１０２‥‥外装
１０２ａ‥‥上ケース
１０２ｂ‥‥下ケース
１０３‥‥プリント基板
１０４‥‥ハーネス
１０５‥‥電子部品
１０６‥‥カバー部材
１０６ａ‥‥開口部
１０８‥‥プリント基板側接続部
１０９‥‥パンテーブル
１１０‥‥鏡筒ユニット
１１１‥‥レンズカバー
１１２‥‥パンテーブル
１１３‥‥突状部
【図１】
2013162250.tif 000003
【図２】
2013162250.tif 000004
【図３】
2013162250.tif 000005
【図４】
2013162250.tif 000006
【図５】
2013162250.tif 000007